(57)【要約】［課題］  殺菌水や消臭剤を室内に吹きつけると乾燥後数時間でその効力を失う場合が多く、例えば病院の手術室の医療器具は伝染病に対しては、一旦消毒をしても次に使用するまでの時間が長くなると効果は失われる。殺菌消毒を持続性を保持するためにはチタンコーティグ剤を吹きつけると、アルコールによる速効性とチタン酸の光合成作用により抗菌性は持続するが、蛍光灯のような光が照射されないとチタン酸等のキレート液の効果は発揮できない。そこで、チタン酸にアルコールを混合して反応させチタンコーティング剤を作る。これに使用目的に応じて合成樹脂やポリエステル樹脂やポパールを組み合わせる。［解決手段］  アルコールに酸化チタンと他の溶液を混合しチタンコーティング剤とし、これをあらゆる建物の内外壁、室内に噴霧して抗菌性、殺菌性と脱臭性、防カビ性を高め、持続性を付与する。また金属表面の空気酸化を防ぎ、曇れば空拭きにより光沢面を取り戻す。【選択図】  図１
2005200392.tif 000002
【特許請求の範囲】
【請求項１】
抗菌性、消臭性消毒剤。
【請求項２】
金属表面に吹きつけた防錆性チタン酸アルコールキレート剤。
チタン酸やジルコニウム酸や錫酸、シリコン酸などにアルコール液を混合してキレート化せしめた液を作り、これに合成樹脂やポパール液を混合し被着体に吹きつけ、抗菌効果の持続性を保持するようにする。
【発明の詳細な説明】
【技術分野】
【０００１】  チタン酸の光触媒はチタン酸を水溶液に溶解分散したものに接着剤と酸化チタンを分散せしめたものが光合成触媒として多く使用されている。
しかし、チタン酸が水に分散する時には沈降性の沈殿物が生じ、白色沈殿性のチタン酸では塗布面に塗布するとき白色に着色してしまう事もあった。【０００２】  そこで透明な液を作るために、アルコールと酸化チタンとの直接反応によって、チタン酸アルコールキレート液を作りこれを吹きつける。
また保管性のたかいコーティング剤とするためには多少の酸性である事が必要となる。
［背景技術］【０００３】  チタン酸液は酸化チタンを水に溶解し過酸化物を入れて過酸化チン水としたものにチタン乳白粉を混合分散したものや、これに樹脂を少量混合したものが公知となっている。酸化チタンは主としてタイル表面や便器、洗面器具、陶磁器、ガラスに塗着した後８００℃で加熱焼き付けたものが一般公知となっている。
また塵埃が付着しても水洗いによって簡単に洗い落とせる性質を付加したもので撥水性である。【０００４】  そこでこの水溶性チタンをアルコールキレート液をコーティング剤とすると、アルコールが中心となるために殺菌力が強く、病院の伝染病菌の消毒となり、ベットなどの寢具の消毒と脱臭にも利用される。またニコチンの光分解、フォルムアルデヒドの分解にに利用される。また光の差し込まない住宅のコンクリートの表面処理や食堂内の暗らい部分や窓のないビルの室内では酸化チタンの光合成作用は半減する。
このためにはこのチタン酸コーティング剤の光合成作用がなくともより殺菌性を発揮する成分との組み合わせが必要となってくる。【０００５】  一般的方法として銀イオンや銅イオンを混合したチタン酸液が現実に使用されているが、銀イオンは黒色に着色変化性があり、銅は猛毒である為に施行場所に於ては使用できない。例えば食堂、食器類、食物には問題が残る。
この場所的使用に於てはこのチタン酸コーティング剤に桂皮酸エステルやピネン類、木酢、竹酢液やバニリン、ベンヅアルデヒドを添加混合した液を作り、これを噴器する。また抗菌性を高めるに安息香酸やオキシ安息香酸、サルチル酸、デヒドロ酢酸、ソルビットなどを混合したものは暗所でもその効果を発揮する。
また、このチタン酸コーティング剤も合成樹脂との組み合わせにより長期保持性を保つ工夫もできる。
［発明の開示］
［発明が解決しょうとする課題］【０００６】  水溶性チタン酸液に酸化チタンを混合したチタン酸コーティング剤に変更した吹付けとして開発し、消毒性と抗菌性、殺菌性、消臭性の持続的発散効果とする。
［課題を解決しようとする課題］【０００７】  抗菌性をたかめ持続性のチタン酸コーティング剤を作り、これに合成樹脂や抗菌剤とを混合して課題を解決する。
室内の壁や窓ガラス、風呂場、押入、カーテン布などと、病院内全体の消毒、抗菌、殺菌、消臭、防カビに対応する光合成効果のチタンコーティング剤の開発。
ビルの壁面、高速道路の橋梁と防音壁の塵埃のクリーニング。
冷蔵庫内の防霜効果と抗菌性。金属表面の錆の発生予防。
［発明の効果］【０００８】  チタンコーティング剤の噴霧後の塗着面は極めて薄く、分散して網状キレート膜中に分散して揮散性が遅効し、殺菌、防カビ効果を持続的に発揮する。
病院の手術室、手術器具、医療機器に応用すると衛生的となる。
学校給食に於ける食器などの殺菌消毒にも効果持続性が得られ、且つ光合成作用も呈し、空気中の塵埃による細菌の付着も空拭きによって簡単に除去され、殺菌効果を発揮する。
高速道路の消音壁に吹きつけると降雨に際して付着物の塵埃は剥離分離が容易で、雨水によってクリーニングされる。
また金属光沢壁板の吹きつけは、チタン酸膜の網状膜の形成により空気酸化を防ぎ、曇れば空拭きすれば元の光沢面を取り戻しいつまでも光沢面を保持できるばかりでなく、抗菌性で光合成作用を保持する。
［発明を実施するための最良の形態］【０００９】  チタンコーティング剤のチタン濃度は５％ないし０．１％くらいの濃度のものが使用され、用途に応じて少量の合成樹脂添加も可能である。
［実施例１］【００１０】  図１はチタンコーティング剤の製造工程図を示す。
（１）はエチルアルコールタンクを示し、エチルアルコールをポンプ（２）でタンク（３）に導入する。タンク（３）からポンプ（４）を通じては反応タンク（５）に導入する。タンク（１’）から酸化チタンをポンプ（２’）によりタンク（３’）に導入する。タンク（３’）は発煙ガスを除去する窓（４’）に於て吸引し排気する。
タンク（３’）に入った酸化チタンはホッパー（５）に導入し、コック（６）を開閉反応タンク（５’）に酸化チタンを滴下しながら攪拌機（７）からアルコール液を攪拌して混合する。約１０分間攪拌して反応したチタンコーティング剤をポンプ（９）によりタンク（１０）に導入し、ホッパー（１１）から他の添加物をタンク（１０）に導入し、攪拌機（１２）によって攪拌した混合液をコンベアー（１４）に積載したガロン缶（１５）中に秤量しながら導入して蜜栓して搬送して台車（１６）に積載して包装して出荷する。
次に反応タンク（５）から分岐したパイプ（９’）からチタンコーティング剤をタンク（１０’）に導入し、攪拌機（１２’）を回転して混合して分岐しながらホッパー（１３’）（１３”）（１３’”）から混合する液を反応タンク（１０’）に導入して混合する。混合液はパイプ（１４’）によりタンク（１０）中に導入し、充填機（１５’）に導入した液をターンテーブル（１６’）に瓶詰めする。これをコンベアー（１７’）に積載し搬送し、台車（１８’）で包装室に送り出荷する。
［産業上の利用可能性］【００１１】  建物の内面や壁面、学校、保育所、幼稚園の教室、教材、給食室、調理器具や病院の病室の壁や寝具類、手術室、手術器具や一般家屋の内壁や外壁、室内全般や食品加工場、加工器具などに利用できる。チタンコーティング膜により金属表面の錆止め、錆の予防にも利用される。また高速道路の防音壁と橋梁に付着する塵埃を雨水によって除去できる。
【図面の簡単な説明】
【図１】  チタンコーティング剤の製造工程図
【図１】
2005200392.tif 000003